(57)【要約】【課題】  特に置敷きタイプに適用して有用な、具体的には、支持脚の配置態様を、支持脚を予め床パネルにセットしておき、当該パネルを例えば市松模様状に配置すれば、必要な支持脚をパネルと一緒に配置できるようにして、従来の支持脚と床パネルの敷設施工の態様に比べて大幅に省力化した支持脚配置とパネル設置を可能にする二重床パネル用の支持脚と、当該支持脚を用いた二重床パネルの施工方法を提供すること。【解決手段】  ２つの支持脚体11，12が間に２枚のパネルＰの側縁を支持する溝部ｇを介して連結された二重床パネルＰの支持脚１であって、前記支持溝部ｇに、そこに挿入される１枚目のパネルＰの側縁を保持すると共に、２枚目のパネルＰの側縁が挿入されると変形するか、又は、切り離れることで、１枚目のパネルＰの側縁の保持力が解除される保持舌片15又は16を設けたこと。【選択図】図４
2008144570.tif 000002
【特許請求の範囲】
【請求項１】
２つの支持脚体が間に２枚のパネル側縁を支持する溝部を介して連結された二重床パネルの支持脚であって、前記支持溝部に、そこに挿入される１枚目のパネル側縁を保持すると共に、２枚目のパネル側縁が挿入されると変形するか、又は、切り離れることで、１枚目のパネル側縁の保持力が解除される保持舌片を設けたことを特徴とする二重床パネルの支持脚。
【請求項２】
２つの支持脚体は、左右方向で間に支持溝を介して連結状態で並設した請求項１の二重床パネルの支持脚。
【請求項３】
保持舌片は、並んだ支持脚体の対向面が形成する溝部に、断面が大略クランク状をなす舌片体で形成され、２枚目のパネル側縁が挿入されると、前記クランク状の断面形状が切り離れることなく変形するようにした請求項１又は２の二重床パネルの支持脚。
【請求項４】
舌片体は、一方の支持脚体における溝部の壁面との間に、挿入される１枚目のパネル側縁を保持するポケット状の隙間を形成すると共に、２枚目のパネル側縁を挿入するとき当該パネルの側縁下端により押下げられて変形する断面形状に形成した請求項３の二重床パネルの支持脚。
【請求項５】
２つの支持脚体の並設方向に直交する外側面に、雌雄の嵌合乃至係合関係によって当該外側面と対面する他の支持脚体に連結するための連結部を備えた請求項２〜４のいずれかの二重床パネルの支持脚。
【請求項６】
２つの支持脚体が保持舌片を備えた支持溝部を介して並設された支持脚を四隅にセットした床パネルを所定間隔で床上に配置する工程と、配置された前記パネル付きの支持脚体に並設された支持脚体により形成される支持脚体に別の床パネルを載せて前記溝部に当該パネルの側縁を嵌入し、前記溝部の保持舌片を変形させるか又は切り離し、２枚のパネルの側縁を前記溝部に支持させる工程によって、床面に床パネルを敷詰めることを特徴とする二重床パネルの施工方法。
【請求項７】
支持脚体を四隅にセットした床パネルは、市松模様状乃至千鳥格子状に配置するとき、対面する支持脚体の連結部で互に連結して配設する請求項６の二重床パネルの施工方法。
【発明の詳細な説明】
【技術分野】
【０００１】
本発明は置敷き式と称される二重床パネルの支持脚と、その支持脚を用いた床パネルの施工方法に関する。具体的には、床パネルの四隅を支持する４つの支持脚の外側（左右側）に、前記パネルに隣接して配置される床パネルの支持脚を並べた状態で一体に設け、前記４つの支持脚体に予め１枚の床パネルをセットした状態で敷設することにより、合理的かつ省力的な支持脚の配置、ひいては合理的かつ省力的な二重床のための床パネルを敷設を実現できる床パネルの施工方法に関する。
【背景技術】
【０００２】
最近のオフィス等のＯＡ化の進展に伴い、そのための自由な床下配線を可能にする二重床パネルが、多種多様の構造，形態の床パネルとして提案され、かつ、各方面においても活用されているが、近時、建物の床に多少の不陸や凹凸があっても、支持脚に高さ調節機能を備えないものを用いてそのまま施工する、いわば簡易な置敷きタイプと称される二重床が特許文献１〜３にもあるように多く用いられるようになった。
【０００３】
この置敷きタイプの二重床には、集合した４枚の床パネル（以下、単に「パネル」ということもある）の集合した隅部を支持する１個のブロック状をなす支持脚を用い、使用する支持脚の個数を少なくするように工夫したものがある。
【０００４】
しかし、４枚の集合したパネルの集合隅部を１個の支持脚で支持するタイプの床パネルの施工は、集合隅部用の支持脚をパネルの大きさに合せて予め床の上に規則的かつ位置決め精度高く並べ、その脚の上にパネルを設置していく施工形態となるため、特に集合隅部用の支持脚を規則的に配置する工程に多大な手間と時間を要するという難点があった。
【特許文献１】特開２００５−２９０８７４号公報
【特許文献２】特開平９−６０２６４号公報
【特許文献３】特許第３２３６７９４号公報
【発明の開示】
【発明が解決しようとする課題】
【０００５】
そこで本発明では、特に置敷きタイプに適用して有用な、具体的には、支持脚の配置態様を、支持脚を予め床パネルにセットしておき、当該パネルを例えば市松模様状に配置すれば、必要な支持脚をパネルと一緒に配置できるようにして、従来の支持脚と床パネルの敷設施工の態様に比べて大幅に省力化した支持脚配置とパネル設置を可能にする二重床パネル用の支持脚と、当該支持脚を用いた二重床パネルの施工方法を提供することを、課題とする。
【課題を解決するための手段】
【０００６】
上記課題を解決することを目的としてなされた本発明支持脚の構成は、２つの支持脚体が間に２枚のパネル側縁を支持する溝部を介して連結された二重床パネルの支持脚であって、前記支持溝部に、そこに挿入される１枚目のパネル側縁を保持すると共に、２枚目のパネル側縁が挿入されると変形するか、又は、切り離れることで、１枚目のパネル側縁の保持力が解除される保持舌片を設けたことを特徴とするものである。ここで、支持脚体は、合成樹脂の単一材料で形成したものが軽量化や製造工程の簡素化などの上で望ましいが、このことは本発明が金属材製、又は、金属材と合成樹脂を併用したものを排除する趣旨ではない。
【０００７】
本発明では、２つの支持脚体は、左右方向で間に支持溝を介して連結状態で並設した構成とする。また、２つの支持脚体の並設方向に直交する外側面に、雌雄の嵌合乃至係合関係によって当該外側面と対面する他の支持脚体に連結するための連結部を備えた構成とする。
さらに、並んだ支持脚体の間に形成された溝部に設けた保持舌片は、断面が大略クランク状をなす舌片体で形成され、２枚目のパネル側縁が挿入されると、前記クランク状の断面形状が変形して切り離れることなく変形するように形成し、また当該舌片体は、一方の支持脚体における溝部の壁面との間に、挿入される１枚目のパネル側縁を保持するポケット状の隙間を形成すると共に、２枚目のパネルを挿入するとき当該パネルの側縁下端により押下げられて変形する断面形状に形成したものであればよい。従って、保持舌片は断面形状が略クランク状でなくてもよい。
【０００８】
次に、上記構成を備えた本発明支持脚を用いた二重床パネルの敷設工法の構成は、２つの支持脚体が保持舌片を備えた支持溝部を介して並設された支持脚体を四隅にセットした床パネルを所定間隔で床上に配置する工程と、配置された前記パネル付きの支持脚体に並設された支持脚体により形成される支持脚体に別の床パネルを載せて前記溝部に当該パネルの側縁を嵌入し、前記溝部の保持舌片を変形させるか又は切り離し、２枚のパネルの側縁を前記溝部に支持させる工程によって、床面に床パネルを敷詰めることを特徴とするものである。
【０００９】
上記敷設工法において、支持脚体を四隅にセットした床パネルは、市松模様状乃至千鳥格子状に配置するとき、対面する支持脚体の連結部で互に連結して配設する施工態様を採ることができる。
【発明の効果】
【００１０】
本発明では、置敷きタイプの二重床用のパネルの四隅の下に配置される支持脚を、２つの支持脚体が間に２枚のパネル側縁を支持する溝部を介して連結された二重床パネルの支持脚であって、前記支持溝部に、そこに挿入される１枚目のパネル側縁を保持すると共に、２枚目のパネル側縁が挿入されると変形するか、又は、切り離されることで、１枚目のパネル側縁の保持力が解除される保持舌片を設けた構成としたので、前記支持脚とパネルの施工態様に、前記２つの支持脚体が保持舌片を備えた支持溝部を介して並設された支持脚を四隅にセットした床パネルを所定間隔で床上に配置する工程と、配置された前記パネル付きの支持脚体に並設された支持脚体により形成される支持脚体に別の床パネルを載せて前記溝部に当該パネルの側縁を嵌入し、前記溝部の保持舌片を変形させるか又は切り離し、２枚のパネルの側縁を前記溝部に支持させる工程を採って、床面に床パネルを敷詰めることができる。
特に、２枚のパネルの側縁を支持する溝部に、２枚目のパネルが嵌入されると、変形又は切断される１枚のパネル側縁の保持舌片を設けたので、一枚のパネルの四隅に本発明支持脚をセットした状態で、当該支持脚がセットしたパネルから離脱（落下）することなくパネルと一体に床面に配置することができる。
しかも、２枚目のパネルの側縁を前記溝部に嵌入すると、前記保持舌片の１枚目のパネルの保持力が、当該舌片が２枚目パネルの側縁によって変形又は切断されることにより、解除されるので、パネル敷設後のメンテナンスなどにおいて、容易にパネルを支持脚から離脱することができる。
さらに、保持舌片を、断面が大略クランク状をなす舌片体で形成し、２枚目のパネル側縁が挿入されると、前記クランク状の断面形状が切り離れることなく変形するように形成した本発明支持脚では、保持舌片が支持脚体から離脱しないので、パネル敷設後のメンテナンスやパネル敷設位置の変更などにおいてパネルＰを本発明支持脚から外したとき、離脱落下した保持舌片がフラブ床上に散らかっているような不都合はない。
【発明を実施するための最良の形態】
【００１１】
次に本発明の実施の形態例について、図を参照して説明する。
図１は本発明支持脚の一例の平面図、図２は図１の支持脚の縦断正面図、図３は図２の支持脚に１枚の床パネルを載置した縦断正面図、図４は図３の支持脚に２枚の床パネルをセットした状態の縦断正面図、図５は本発明支持脚の別例の正面図、図６は図５の支持脚の縦断正面図、図７は図６の支持脚に１枚の床パネルを載置セットした縦断正面図、図８は図７の支持脚に２枚の床パネルをセットした状態の縦断正面図、図９は本発明支持脚の他の例の平面図、図10は図９の本発明支持脚の正面図、図11は図10の本発明支持脚の丸囲み部分の拡大断面図、図12は図９〜図11に示した本発明支持脚に２枚のパネルの偶部側縁を支持させた状態の正面図、図13は本発明支持脚の４個を、一例としてＸ状をなす帯状結合体で連結して支持脚ユニットに形成した例の平面図、図14は図13の正面図、図15は対面した２個の本発明支持脚の平面図、図16は図15の支持脚同士を連結した状態の平面図、図17は本発明支持脚が支持対象とする床パネルの一例の斜視図、図18は図17のパネルを図１〜図12により説明した本発明支持脚に載置セットした状態の斜視図、図19は本発明支持脚を用いた床パネルの敷設状態を説明するための斜視図である。
【００１２】
図１〜図４において、１は、１枚の床パネルＰ（図11参照）の下面側の四隅に配置されて、当該パネルＰをその四隅において下面から支持する４つの本発明支持脚の一例で、ここでは平面から見て大略四角形を呈する２つの中空ブロック状をなす支持脚体11，12を左右に並べ、両脚体11，12の対向面に支持溝部として形成した隙間ｇを介して底部13により結合一体化して形成されている。なお、底部13は、両脚体11と12を切り離し可能とするため切断用凹み線などを形成したものもある。ここで、一体に形成される支持脚体11，12は、生産性や取扱性などからみると合成樹脂材製が好ましいが、金属材又は合成樹脂材と金属材を併用して形成したものでもよい。
【００１３】
同じく、図１〜図４において、11a，12aは前記脚体11，12の内部に平面Ｘ状に配設した補強リブ、11b，12bは各リブ11a，12aの中心に配した円筒状の補強リブ、11c，12cは両支持脚体11，12の上面中央部であって前記リブと干渉しない位置に、浅いドーム状に膨出形成した緩衝部で、載置される床パネルＰに加わる衝撃を緩和するためのものである。なお、緩衝部11c，12cの外周には、リブ11a〜12bと干渉しないように、クッション性を出す肉薄の溝11d，12dが設けられている。本発明において上記の支持脚１は、大略四角形状に限られるものではなく、三角形や１／４円形、或は、その他の平面形状であってもよい。要は、隣接して配置される床パネルを支える別の支持脚における支持脚体との連結部（後述する）が当該脚体の外面に形成できる形状であれば足りる。
【００１４】
２つの支持脚体11，12が底部13を介し結合されて、両脚体11，12の対向面の間に、２枚のパネル側縁の支持溝部となる隙間ｇを備えた本発明支持脚１は、図２に示すように、当該隙間ｇが形成される対向面の下方側に壁を設けず、かつ、図２の左側の支持脚体11の上部に、１枚の床パネルＰにおける隅部の立壁状側縁を密に遊嵌して当該側縁を挟持する断面略Ｕ状の挟持ポケット14を形成している。この断面Ｕ字状の挟持ポケット14における外側の壁は、薄肉の略倒立Ｌ字状をなし、２枚目のパネルＰの側縁が隙間ｇに挿入されるとき、当該側縁に押し下げられて変形又は切断される保持舌片15に形成されている。ここで、該舌片15の上端部は、それが接続形成された支持脚体12の上部との間に、切断又は変形し易いようにした薄肉の段部15aが形成されている。
【００１５】
本発明では、各支持脚１（図13，図18では支持脚1A〜1D）を形成するそれぞれ底部13で連結された４組の支持脚体11，12を、一例として平面Ｘ状の帯状の結合体３によって連結した形態にすることがある。ここで、図13，図18に例示したような帯状の結合体３によって一体化された４つの支持脚１（1A〜1D）の連結体を、以下では支持脚ユニットULという。なお、結合体３は、帯状のほかパイプを含む棒状体、或は、四隅を除いて各辺の中間を凹陥形成した平板状体により形成することもある。
【００１６】
なお、本発明支持脚を連結体３でＸ状に結合した支持脚ユニットULは、図13に例示するように、平面から床パネルＰを見たとき、当該パネルＰの図13の下側に対角線上の隅部を支持する支持脚1A，1Cと、前記対角線と直交する対角線上の支持脚1C，1Dとは、それぞれ同一構造の支持脚1A，1C、同じく1B，1Dを、それぞれに360度回転させた平面形態である。ただし、支持脚1A，1Cと同1B，1Dにおける支持ポケット14を変形する保持舌片15が、支持脚体11の側に設けられているか、支持脚体12の側に設けられているかの違いがある。
そこで、本発明では、図13に例示したように４個の支持脚1A〜1Dを、平面から見た１枚の床パネルＰの四隅に対して配置し、４つの本発明支持脚1A〜1Dにおいて、それぞれ左右に並んだ支持脚体11，12のうちパネルＰの内側に位置する支持脚体11と同12に床パネルＰを載せる（図18参照）。
【００１７】
本発明では、上記の１つの支持脚１、或は、支持脚ユニットULの各支持脚１における各隙間ｇに設けた保持舌片15は、１枚目のパネルＰを隙間ｇに入れるとそのパネルＰの側縁を挟持するが、２枚目のパネルの側縁が当該隙間ｇに挿入されることにより、その側縁に変形又は切断されて、１枚目のパネルＰの保持力を解除するように段部15aを有して設けられている。この結果、１枚目のパネルＰを、その四隅に位置する支持脚体11と12に支持させただけでは、図３に例示するように、当該パネルＰはその側縁において各支持脚１の挟持ポケット14に挟持され、パネルＰを持上げても支持脚１がそのパネルＰから離脱（落下）することはない。
しかし、２枚目のパネルＰの側縁を入れると、図４に例示するように、保持舌片15が段部15aで切断されて、1枚目のパネルＰの側縁の保持力を失い、２枚目のパネルＰの側縁が１枚目のパネルＰの側縁と一緒に隙間ｇに入った状態になる。
【００１８】
上記構成を備えた本発明支持脚１では、その各支持脚体11と12の隙間ｇの挟持ポケット14が、１枚のパネルＰにおける四隅の立壁状側縁を挟持した状態になるから、図18に例示するように、床パネルＰにセットされた状態になる。そこで、下面四隅に４個の支持脚１を保持した床パネルＰを、一つ飛びに、すなわち、市松模様状（又は、千鳥格子状）をなすように配置すると、パネルＰがある部分とパネルＰがない部分とが市松模様状又は千鳥格子状をなすように床面上に配置される（図19参照）。
【００１９】
床面上へ床パネルＰをセットした状態で市松模様状又は千鳥格子状配置される本発明支持脚１と同１´には、図13，図14、及び、図15，図16に例示するように、左右方向で結合並設された各支持脚体11，12における上，下方向の外面側に、雌雄関係で分離可能に結合乃至係合する支持脚同士の連結部が形成されている。
【００２０】
即ち、上記の連結部は、図13〜図16に示した例では、上記の各支持脚１の左右側の支持脚体11，12とにおいて、平面視大略逆凸状の雄部材4aと、その雄部材4aを前方から抱持する壁付きの平面視略凹状をなす雌部材4bとが、各支持脚体11と12における前後方向（支持脚体11，12の並設方向と直行する方向）の外面に設けられている。
【００２１】
従って、本発明では、各支持脚１が上記連結部の構成（雌雄部材4a，4b）を具備していることによって、市松模様状又は千鳥格子状に配置されるパネルＰにセットした各支持脚１は、図15，図16に示したように、一方の支持脚１における支持脚体11，12の雄部材4aと雌部材4bとが、対面する他方の支持脚１における支持脚体11，12の雌部材4bと雄部材4aとに、夫々に上から係合（又は嵌合）して、対面する両支持脚１同士の結合（又は連結）がなされることになる。
【００２２】
これによって、パネルＰをセットした本発明支持脚１は、当該パネルＰ単位で一つ飛びの配置、すなわち、連結された市松模様状又は千鳥格子状の配置を実現できるのである。各支持脚体11，12は、上記態様の配置において、すべて連結部（4a，4b）において連結されているので、配置の位置決め精度を容易に高めることができ、また、その配置がズレることもない。なお、本発明では、上記雌雄部材4a，4bを、断面Ｌ状と上下対称な倒立Ｌ状の係止部や平面ファスナの雌雄部材などに代替することができる。
【００２３】
本発明では、図16の平面図に示すように、各床パネルＰは、その下面四隅を各支持脚１における支持脚体11と12に載せ、夫々の支持脚体11，12の隙間ｇの挟持ポケット14に、１枚目のパネルＰの立壁状側縁を挿入して保持舌片14に支持させて各支持脚１を当該パネルＰにセットする。従って、１枚目のパネルＰがセットされた本発明支持脚の複数個を市松模様状又は千鳥格子状に配置しつつ、各支持脚同士における連結部の雌，雄部材4a，4bを互に係合させて、図19に例示するように二重床を形成したい建物の床上に配置する。
【００２４】
本発明支持脚をセットした床パネルＰを、図19のように、市松模様状乃至千鳥格子状に配置した状態では、各支持脚１が隙間ｇと底部13を介して一体に備えている外側の支持脚体12（又は11）は、市松模様状又は千鳥格子状の態様で未だ床パネルＰが載置されていない。そこで、空いている各々の支持脚体12（又は11）の隙間ｇに２枚目となる床パネルＰを載置し、各２枚目のパネルＰの側縁を、隙間ｇに形成した変形又は切断される保持舌片15の上から挿入すると、当該舌片15の段部15aが、後から挿入されるパネルＰの側縁によって図４に例示するように切断されることにより、２枚のパネルＰの２つの側縁が一つの隙間ｇに保持されて、本発明による置敷タイプの床パネルＰの敷設が完了する。
【００２５】
本発明支持脚１としては、上記例のほか、図５〜図８、並びに、図９〜図12に示す態様のものがある。なお、図５〜図12において、図１〜図４と同一符号は同一部材又は同一部位を示すものとする。
まず、図５〜図８の本発明支持脚１の別例では、支持脚体11，12の隙間ｇに形成される挟持ポケット14が、外側の支持脚体12の側に変形し易い段部16aを介して形成した変形する保持舌片16の立壁面と支持脚体11の隙間ｇ側の壁面とにより形成されている。
先に述べた保持舌片15と上記保持舌片16とは、いずれも２枚目のパネルＰの隙間ｇへの嵌入によって切断又は変形可能にするため、２枚目のパネルＰの側縁を隙間ｇに挿入（圧入）するとき、その側縁による切り離し（切断）又は変形を確保するための段部15a、同16aが形成されている。
【００２６】
次に、図９〜図12に示す本発明支持脚１の他の例では、支持脚体11，12の隙間ｇに形成される挟持ポケット14が次のように形成されている。
すなわち、外側（図９〜図12の右側）の支持脚体12の側に変形し易くした段部17aと薄肉部17bを介在させると共に、内側の支持脚体11の側にも変形し易い薄肉部17cを介在させて、断面が大略クランク状をなす舌片体による保持舌片17と支持脚体11の側壁によって挟持ポケット14が形成されている。換言すると、前記ポケット14は、前記舌片17の立壁部分17dと内側の支持脚体11の壁面11wによる１枚目のパネル側縁の挟持部を備えて形成されている。
【００２７】
上記構成によって、上記ポケット14を形成する保持舌片17は、２枚目のパネルＰの側縁によって略クランク状断面の当該舌片17における上位の水平部17eが押下げられて変形し易い一方、当該舌片17が変形するとき切り離れて支持脚体11，12から脱落することがない。
次に、挟持ポケット14における保持舌片17の立壁部分17dの上半部は、１枚目のパネルＰの側縁が挟持ポケット14に挿入され易くするため、凹陥薄肉部17fに形成されている。この薄肉部17eは、１枚目のパネルＰの挿入ガイドとして作用すると共に、保持舌片17の変形時における切・折防止を、前記薄肉部17bと17cと協働して作用する。
【００２８】
上記保持舌片17の構成により、１枚目のパネルＰの側縁が挟持ポケット14に挿入（嵌入）されると、当該ポケット14を形成している一方の支持脚体11の壁面11wと当該舌片17の立壁部分17dに、挿入された１枚目のパネルＰの側縁が十分な保持力で挟持される。
【００２９】
１枚目のパネルＰの側縁を挟持ポケット14に保持した状態にある支持脚体11，12の隙間ｇに、２枚目のパネルＰの側縁が挿入されると、その挿入時にパネルＰの側縁下端が保持舌片17における略クランク状断面の上位の水平部17e当り、そのまま当該水平部17eを押下げる。
水平部17eがこのように２枚目のパネルＰの側縁で下方へ押下げ力を受けると、この水平部17eに連続した立壁部17dは前記薄肉部17b，17cの作用もあって、図12に点線で示すように、切り離れることなく変形し、かつ、この変形に連動して前記水平部17eが略垂直姿勢に変形して、ポケット14の幅を大きくする。これによって、１枚目と２枚目のパネルＰの側縁は、拡幅したポケット14にフリー状態で挟まれることとなる。
上記のようにして幅が拡大するように変形したポケット14を形成する保持舌片（図12の点線参照）は、２枚のパネルＰを外して、例えば立壁部17dを側壁11wの側へ押してやると、図11に示す元の断面形状（略クランク状）に復帰し、元の形態に戻ったポケット14は１枚目のパネルＰの側縁の挟持力を発揮する。
【００３０】
図19の敷設態様の例は、本発明支持脚１が、床パネルＰをセットした状態で当該パネルＰを市松模様状又は千鳥格子状に配置し、空いている空所の四隅の支持脚体11又は12に、床パネルＰを載置した例である。
【００３１】
本発明における二重床パネルの置敷きにおいては、パネルＰをセットしない支持脚１を、各支持脚１における対面した連結部（雌雄部材4a，4b）を相互に結合させて配置し、それから各支持脚体11と12に床パネルＰを載置していく施工法を採ることもできる。この場合、Ｘ状などの結合体３により各支持脚１を一体化したものを用いると、施工性が向上するほか、配置時の位置精度を確保することができる。
【産業上の利用可能性】
【００３２】
本発明は以上の通りであって、２つの支持脚体が間に２枚のパネル側縁を支持する溝部を介して連結された二重床パネルの支持脚であって、前記支持溝部に、そこに挿入される１枚目のパネル側縁を保持すると共に、２枚目のパネル側縁が挿入されると変形するか、又は、切り離されることで、１枚目のパネル側縁の保持力が解除される保持舌片を設けたので、その施工態様に、前記２つの支持脚体が保持舌片を備えた支持溝部を介して並設された支持脚を四隅にセットした床パネルを所定間隔で床上に配置する工程と、配置された前記パネル付きの支持脚体に並設された支持脚体により形成される支持脚体に別の床パネルを載せて前記溝部に当該パネルの側縁を嵌入し、前記溝部の保持舌片を変形させるか又は切り離し、２枚のパネルの側縁を前記溝部に支持させる工程を採って、床面に床パネルを敷詰めることができる。
特に、２枚のパネルの側縁を支持する溝部に、２枚目のパネルが嵌入されると、変形又は切断される１枚目のパネル側縁の保持舌片を設けたので、本発明支持脚を、一枚のパネルの四隅にセットした状態で、当該支持脚がセットされたパネルから離脱することなくパネルと一体に床面に配置することができる。
しかも、２枚目のパネルを前記溝部に嵌入すると、前記保持舌片の１枚目のパネルの保持力が、当該舌片の変形又は切断によって解除されるので、パネル敷設後のメンテナンスなどにおいて、容易にパネルを本発明支持脚から離脱することができる。また、保持舌片が支持脚体から切り離されることなく変形するタイプのものでは、パネルを本発明支持脚から離脱させた後、変形した保持舌片を元の形状に復帰させて、再度、パネル側縁の保持力を発揮させることができる。
【図面の簡単な説明】
【００３３】
【図１】本発明支持脚の一例の平面図。
【図２】図１の支持脚の縦断正面図。
【図３】図２の支持脚に１枚の床パネルを載置した縦断正面図。
【図４】図３の支持脚に２枚の床パネルをセットした状態の縦断正面図。
【図５】本発明支持脚の別例の正面図。
【図６】図５の支持脚の縦断正面図。
【図７】図６の支持脚に１枚の床パネルを載置セットした縦断正面図。
【図８】図７の支持脚に２枚の床パネルをセットした状態の縦断正面図。
【図９】本発明支持脚の他の例の平面図。
【図１０】図９の本発明支持脚の正面図。
【図１１】図10の本発明支持脚の丸囲み部分の拡大断面図。
【図１２】図９〜図11に示した本発明支持脚に２枚のパネルの偶部側縁を支持させた状態の正面図。
【図１３】本発明支持脚の４個をＸ状の帯状結合体で連結して支持脚ユニットに形成した例の平面図。
【図１４】図13の正面図。
【図１５】対面した２個の本発明支持脚の平面図。
【図１６】図15の支持脚同士を連結した状態の平面図。
【図１７】本発明支持脚が支持対象とする床パネルの一例の斜視図。
【図１８】図17のパネルを図１〜図12により説明した本発明支持脚に載置セットした状態の斜視図。
【図１９】本発明支持脚を用いた床パネルの敷設状態を説明するための斜視図。
【符号の説明】
【００３４】
Ｐ                      床パネル
１（1A，1B，1C，1D）    本発明支持脚
11，12                  並設した支持脚体
11a                     補強リブ
11b                     補強筒部
11c，12c                緩衝部
13                      底部
14                      挟持ポケット
15，16，17              保持舌片
３                      帯状結合体
4a                      雄部材
4b                      雌部材
【図１】
2008144570.tif 000003
【図２】
2008144570.tif 000004
【図３】
2008144570.tif 000005
【図４】
2008144570.tif 000006
【図５】
2008144570.tif 000007
【図６】
2008144570.tif 000008
【図７】
2008144570.tif 000009
【図８】
2008144570.tif 000010
【図９】
2008144570.tif 000011
【図１０】
2008144570.tif 000012
【図１１】
2008144570.tif 000013
【図１２】
2008144570.tif 000014
【図１３】
2008144570.tif 000015
【図１４】
2008144570.tif 000016
【図１５】
2008144570.tif 000017
【図１６】
2008144570.tif 000018
【図１７】
2008144570.tif 000019
【図１８】
2008144570.tif 000020
【図１９】
2008144570.tif 000021